(57)【特許請求の範囲】
【請求項１】
脱穀装置と、
前記脱穀装置の横側に配設された穀粒タンクと、
前記穀粒タンクに装備され、かつ、前記穀粒タンクの底部から搬出された穀粒を揚送する縦送りオーガ、および、揚送された穀粒を横搬送して先端部から排出すると共に起伏および旋回自在な横送りオーガを有するアンローダと、
前記横送りオーガを機体の所定姿勢に受け止め支持するオーガ受けと、
前記穀粒タンクの前方に配設された運転部と、
水平方向に対して垂直な状態で前記脱穀装置から起立され、前記脱穀装置から前記穀粒タンクに穀粒を揚送する揚穀装置と、
前記アンローダの操作部と、が備えられ、
前記穀粒タンクのうち前記脱穀装置の側の側面に、上下方向に沿った状態で前記脱穀装置とは反対側に向けて凹入された凹部が備えられると共に、前記穀粒タンクのうち前記脱穀装置の側の側面の上端部に、前記凹部の上端部に隣接する開口が備えられ、
前記揚穀装置は、前記凹部に入れ込まれた状態、かつ、前記揚穀装置の上端部が前記開口に挿入された状態で配設され、
前記操作部は、前記操作部の下端部が前記脱穀装置の上端部よりも上方に位置して前記脱穀装置が前記操作部の下方に入り込むように、前記穀粒タンクのうちの前記脱穀装置の側の側面の上端部に配設され、
前記揚穀装置の上端部のうち前記脱穀装置の側の外周部に取付けられると共に機体前後方向に沿った状態で前記揚穀装置の上端部と前記凹部との隙間を閉塞する板材と、前記板材に機体前後方向に沿った状態で取付けられると共に機体前方に向けて延びるブラケットと、が備えられ、
前記オーガ受けは前記ブラケットの前端部に支持され、
前記操作部の後端部が前記オーガ受けに支持されて、前記操作部は前記オーガ受けよりも前側に位置しているコンバイン。
【請求項２】
前記揚穀装置の排出口は、前記穀粒タンクのうちの前記脱穀装置の側の側面の上端部に位置するように、前記揚穀装置の上端部に設けられている請求項１に記載のコンバイン。
【請求項３】
前記操作部に、前記アンローダを操作する操作具と、前記操作具を支持する操作ボックスと、が備えられ、
前記操作ボックスは、前記穀粒タンクの前面よりも機体後方側に位置するように配設されている請求項１または２に記載のコンバイン。
【請求項４】
前記脱穀装置の下部のうちの前記穀粒タンクの側の面は、前記脱穀装置の上部のうちの前記穀粒タンクの側の面よりも、前記穀粒タンクとは反対側に引退している請求項１から３の何れか一項に記載のコンバイン。
【発明の詳細な説明】
【技術分野】
【０００１】
本発明は、脱穀装置と、前記脱穀装置の横側に配設された穀粒タンクと、前記穀粒タンクに装備されたアンローダと、前記穀粒タンクの前方に配設された運転部と、を備えたコンバインに関する。
【背景技術】
【０００２】
穀粒タンクに装備されるアンローダは、穀粒タンクの底部から搬出された穀粒を揚送する縦送りオーガと、揚送された穀粒を横搬送して先端部から排出する起伏旋回自在な横送りオーガとで構成したものが多用され、前記横送りオーガの姿勢変更や、アンローダの起動および停止を行う操作部を運転部に搭乗した作業者が行うのが一般的となっている。従来よりアンローダの操作部は、例えば、特許文献１あるいは特許文献２に開示されているように、運転座席の後方で機体内側に配備されている。
【特許文献１】特開平１０−３０４７５４号公報（図７）
【特許文献２】特開２００６−２３８８９７号公報（図２）
【発明の開示】
【発明が解決しようとする課題】
【０００３】
アンローダの操作部が運転座席より後方に配備されると、運転部の前端位置が前方に位置することになり、運転部よりも前方に刈取り部が突出する構造上、機体全長が大きくなって機体の前後方向のコンパクト化を図る上で不利となる。アンローダの操作部が運転座席後方の機体内側に配備されると、運転座席の機体内側に配置するサイドパネルの前後長さが制約され、サイドパネルに装備する各種操作具やモニター類が密集してしまって操作具の操作性が低下しがちとなる。
【０００４】
本発明は、このような点に着目してなされたものであって、機体のコンパクト化を阻害したり、運転座席の機体内側の横側での操作性を悪化するようなことなく、アンローダの操作を行うことができるコンバインを得ることを主たる目的としている。
【課題を解決するための手段】
【０００５】
第１の発明は、
脱穀装置と、
前記脱穀装置の横側に配設された穀粒タンクと、
前記穀粒タンクに装備され、かつ、前記穀粒タンクの底部から搬出された穀粒を揚送する縦送りオーガ、および、揚送された穀粒を横搬送して先端部から排出すると共に起伏および旋回自在な横送りオーガを有するアンローダと、
前記横送りオーガを機体の所定姿勢に受け止め支持するオーガ受けと、
前記穀粒タンクの前方に配設された運転部と、
水平方向に対して垂直な状態で前記脱穀装置から起立され、前記脱穀装置から前記穀粒タンクに穀粒を揚送する揚穀装置と、
前記アンローダの操作部と、が備えられ、
前記穀粒タンクのうち前記脱穀装置の側の側面に、上下方向に沿った状態で前記脱穀装置とは反対側に向けて凹入された凹部が備えられると共に、前記穀粒タンクのうち前記脱穀装置の側の側面の上端部に、前記凹部の上端部に隣接する開口が備えられ、
前記揚穀装置は、前記凹部に入れ込まれた状態、かつ、前記揚穀装置の上端部が前記開口に挿入された状態で配設され、
前記操作部は、前記操作部の下端部が前記脱穀装置の上端部よりも上方に位置して前記脱穀装置が前記操作部の下方に入り込むように、前記穀粒タンクのうちの前記脱穀装置の側の側面の上端部に配設され、
前記揚穀装置の上端部のうち前記脱穀装置の側の外周部に取付けられると共に機体前後方向に沿った状態で前記揚穀装置の上端部と前記凹部との隙間を閉塞する板材と、前記板材に機体前後方向に沿った状態で取付けられると共に機体前方に向けて延びるブラケットと、が備えられ、
前記オーガ受けは前記ブラケットの前端部に支持され、
前記操作部の後端部が前記オーガ受けに支持されて、前記操作部は前記オーガ受けよりも前側に位置していることを特徴とする。
【０００６】
上記構成によると、アンローダの操作部が運転部の後方上部に位置することになり、運転部を穀粒タンクに充分近づけて配置することで、運転部の前端位置を機体後方に位置させることができ、運転部の前方に突出する刈取り部の前端位置を機体後方に位置させることで、機体の前後方向のコンパクト化を図る上で有効となる。
【０００７】
アンローダの操作部が運転部の後方上部に位置することで、運転部の機体内側に配備するサイドパネルを前後に長く設けることができ、各種の操作具、操作スイッチ類、および、モニターを過密にならない状態でサイドパネルに配置することが容易となる。
【０００８】
アンローダの操作部の下方に脱穀装置を入り込み配置することで、穀粒タンクと脱穀装置とを横方向に充分接近して設置することができ、穀粒タンクの横幅を犠牲にすることなく機体の横幅を小さくすることができて、機体の左右方向のコンパクト化を図る上で有効となる。
【０００９】
運転部の後方上部に位置する操作部は運転作業者からが見やすく、穀粒搬出作業におけるアンドーダ操作を容易に行うことができる。
また、上記構成によると、専用の支柱や支持枠を要することなく、頑丈で背の高い揚穀装置を利用して操作部を所望の高い位置に設置することができ、操作部の支持構造を簡素化することができる。
【００１０】
従って、第１の発明によると、機体の前後及び左右方向のコンパクト化を図る上で有効になるとともに、運転座席の機体内側の横側での各種操作やアンドーダ操作を軽快良好に行うことができる。
【００１１】
第２の発明は、
前記揚穀装置の排出口は、前記穀粒タンクのうちの前記脱穀装置の側の側面の上端部に位置するように、前記揚穀装置の上端部に設けられているものである。
【００１２】
第３の発明は、
前記操作部に、前記アンローダを操作する操作具と、前記操作具を支持する操作ボックスと、が備えられ、
前記操作ボックスは、前記穀粒タンクの前面よりも機体後方側に位置するように配設されているものである。
【００１３】
【００１４】
第４の発明は、
前記脱穀装置の下部のうちの前記穀粒タンクの側の面は、前記脱穀装置の上部のうちの前記穀粒タンクの側の面よりも、前記穀粒タンクとは反対側に引退しているものである。
【発明を実施するための最良の形態】
【００１５】
図１〜図４に、コンバインの全体が示されている。このコンバインは、左右一対のクローラ走行装置１を備えた走行機体２の前部に、刈取り部３が上下揺動可能に連結されるとともに、走行機体２に脱穀装置４と穀粒回収部５が左右に並列して搭載され、穀粒回収部５の前方に原動部６を含む運転部７が装備された構造となっている。
【００１６】
前記刈取り部３は左右一対の引起し装置８を備えており、通常の回り刈り作業時には２条の刈取りを行い、必要に応じて３条の刈取りが可能な刈り幅に設定されるとともに、左右のクローラ走行装置１の踏み幅が刈り幅とが略合致して、全面刈りが可能に構成されている。
【００１７】
前記原動部６は、箱形に形成されたボンネット９にエンジン１０を収容配備して構成されており、ボンネット９の上に運転座席１１が装備されている。ボンネット９は、外側下端の支点ａを中心として、横外方に揺動開放してエンジンルームを大きく露出することができるよう構成されている。
【００１８】
前記運転部７は、運転座席１１の前方に操縦塔１２およびアーチ形の固定ハンドル１３を立設するとともに、運転座席１１の機体内側にサイドパネル１４を配備して構成されている。操縦塔１２には操縦レバー１５が十字揺動操作可能に立設されており、操縦レバー１５の左右揺動操作によってレバー倒し方向への機体操向を行い、操縦レバー１５の前方および後方への揺動操作によって刈取り部３の下降および上昇を行うよう構成されている。サイドパネル１４には、前後進の切換えと前後進での無段変速を行う変速レバー１６、アクセルレバー１７、各種の操作スイッチやモニターランプ、等の電装機器１８が備えられている。
【００１９】
前記穀粒回収部５には、脱穀装置４から立設されたスクリュー式の揚穀装置２１で揚送された穀粒を貯留回収する穀粒タンク２２と、貯留した穀粒を搬出するスクリュー式のアンローダ２３が備えられている。揚穀装置２１は、水平方向に対して垂直な状態で配設されている。穀粒タンク２２は、走行機体２に固設された底ケース２２Ａと、脱着自在なタンク本体２２Ｂとから構成されており、底ケース２２Ａに対してタンク本体２２Ｂが取り外し可能に嵌合連結されている。底ケース２２Ａは板金構造で前後に向かう樋状に形成されており、この底ケース２２Ａの前壁板２２ｆと後壁板２２ｒとに亘って穀粒排出用の底スクリュー２４が回転自在に軸支されるとともに、底スクリュー２４の上方において山形断面形状の流下案内板２５が前壁板２２ｆと後壁板２２ｒとに亘って架設固定されている。
【００２０】
前壁板２２ｆには駆動ケース２６が備えられており、この駆動ケース２６に横向きに装備された駆動軸２７と底スクリュー２４の前端とが駆動ケース２６においてベベルギヤ連動されている。駆動軸２７の機体内方端部とエンジン１０の出力軸１０ａとが伝動ベルト２８を介して巻き掛け連動されるとともに、伝動ベルト２８に作用するベルトテンション式の排出クラッチ２９の入り切り操作によって底スクリュー２４の駆動および停止が行われるようになっている。
【００２１】
前記タンク本体２２Ｂは樹脂材のブロー成形によって形成されており、図５に示すように、その上面に点検カバー３１が開閉自在に装備されるとともに、タンク前面の上部に透視窓３０が備えられ、かつ、タンク本体２２Ｂの下端部が下すぼまり形状に形成されて、底ケース２２Ａの上端開口部に挿抜可能に嵌入連結されるよう構成されている。図５〜７、および図９に示すように、タンク本体２２Ｂにおける機体内向きの側面には、上端側の一部を残して凹部３２が上下方向に沿って形成されるとともに、凹部３２の上端部からその上方箇所に亘って開口３３が形成され、この凹部３２に揚穀装置２１が入り込み配備されるとともに、前記開口３３に揚穀装置２１の上部が挿入配備されている。このように、揚穀装置２１を凹部３２に入り込み配置することで、揚穀装置２１の前側および後側にも穀粒貯留空間を形成してタンク容量の増大が図られている。図１に示すように、タンク本体２２Ｂにおける前面の上半部が原動部６の上方に重複するように前方に膨出形成されてタンク容量が更に増大されている。
【００２２】
なお、原動部６におけるボンネット９を外側下端の支点ａ周りに揺動開放する際に、ボンネット９がタンク本体２２Ｂの前方膨出部２２ｂに干渉するのを回避するために、ボンネット９における後部上方の角部９ａは、斜めに欠如された形状に形成されている。
【００２３】
図５〜９に示すように、揚穀装置２１の上部には連結板３４（本発明の「板材」に相当する）が固着されており、この連結板３４の上端に備えたフック３５に、タンク本体２２Ｂの上面に装備したバックル式のクランプ金具３６を係止締結することで、下端が底ケース２２Ａに嵌入支持されたタンク本体２２Ｂが所定の立ち姿勢に固定されるようになっている。前記連結板３４は、揚穀装置２１の脱穀装置側の外端に位置する縦板部３４ａと、揚穀装置２１を斜めに貫通支持する傾斜板部３４ｂとを一連に備えており、クランプ金具３６の締結作用によって機体内方に引き寄せられるタンク本体２２Ｂの上部を連結板３４に当て付け支持することで、開口３３を閉塞するよう構成されている。連結板３４の外面周辺にはスポンジ状のシール材３７が備えられており、揚穀装置２１の上部と穀粒タンク２２とが密着状態で接続され、揚穀装置２１の上端排出口２１ａから吹き出される排出風に乗ってタンク内の埃が開口３３から漏れ出ることが防止されている。
【００２４】
前記アンローダ２３は、底ケース２２Ａの後壁板２２ｒに連結されて立設された縦送りオーガ２３Ａと、縦送りオーガ２３Ａの上端部に横支点ｘ周りに起伏揺動可能に連結された横送りオーガ２３Ｂとで構成されており、縦送りオーガ２３Ａに内装された縦スクリュー３８の下端と前記底スクリュー２４の後端とがベベルギヤ連動されるとともに、縦スクリュー３８の上端と横送りオーガ２３Ｂに内装された横スクリュー３９の基端とが、支点ｘに配備された中間スクリュー４０を介してベベルギヤ連動されている。
【００２５】
前記縦送りオーガ２３Ａは、底ケース２２Ａの後壁板２２ｒに連結された接続ケース４１に対してスクリュー軸心と同芯の縦支点ｙ周りに旋回可能に支持されるとともに、縦送りオーガ２３Ａの下端部に備えたリングギヤ４３が電動モータ４４で駆動されるピニオンギヤ４５に咬合連動されており、電動モータ４４の正逆転駆動によってアンローダ２３全体が前記縦支点ｙ周りに正逆に旋回操作されるようになっている。
【００２６】
縦送りオーガ２３Ａと横送りオーガ２３Ｂとに亘って電動シリンダ４６が架設されており、この電動シリンダ４６の伸縮作動によって横送りオーガ２３Ｂが横支点ｘ周りに上下揺動されるようになっている。なお、横送りオーガ２３Ｂは、その長手方向中間において横折れ格納可能な２分割構造に構成されている。
【００２７】
図６〜８に示すように、前記連結板３４にはブラケット４７を介してオーガ受け４８とアンローダ用の操作部４９が装備されている。オーガ受け４８は上向きＵ形に形成されており、所定の格納位置にある前記横送りオーガ２３Ｂを受け入れて支持するよう構成されている。なお、非作業時には支持された横送りオーガ２３Ｂをゴムバンド５０で押さえ込み保持することで、機体の動揺などで横送りオーガ２３Ｂが浮動することが阻止される。
【００２８】
アンローダ用の前記操作部４９には、タンク本体２２Ｂの機体内方側の側面より脱穀装置側に突出されるとともに、タンク本体２２Ｂの前面より前方に突出しない操作ボックス５１が備えられている。操作ボックス５１は、操作ボックス５１の下端部が脱穀装置４の上端部よりも上方に位置するように、穀粒タンク２２のうちの脱穀装置４の側の側面の上端部に配設されている。この操作ボックス５１の下方に脱穀装置４の一部が入り込み配置されている。操作ボックス５１の前面上部には、前記電動モータ４４を正逆転作動させる旋回スイッチ５２が備えられるとともに、その下方には、前記電動シリンダ４６を伸縮作動させる昇降スイッチ５３が備えられており、これら旋回スイッチ５２および昇降スイッチ５３を操作することで、横送りオーガ２３Ｂを旋回および昇降させて、その先端の吐出位置を任意に変更することができるようになっている。なお、旋回スイッチ５２及び昇降スイッチ５３が、本発明に係る「操作具」に相当する。
【００２９】
操作ボックス５１の前面右側箇所には、前記排出クラッチ２９のテンションアーム２９ａに操作ワイヤ５４を介して連係された排出クラッチレバー５５が、上下揺動操作可能に備えられて前方に突設されている。排出クラッチレバー５５をデッドポイントを越えて上方操作位置に移動することで、テンションアーム２９ａを引き上げ揺動させて排出クラッチ２９を入れ、排出クラッチレバー５５をデッドポイントを越えて下方操作位置まで移動することで、テンションアーム２９ａを下方揺動させて排出クラッチ２９を切ることができるようになっている。
【００３０】
図４に示すように、脱穀装置４は、図示されていない扱胴を軸支した上部ケース４ａを穀粒タンク側の上部を支点にして上方に揺動し、扱室を開放することが可能となっており、上方に揺動開放された上部ケース４ａに干渉しない高さに前記操作部４９が設置されている。また、図５に示すように、脱穀装置４の下部のうちの穀粒タンク２２の側の面は、脱穀装置４の上部のうちの穀粒タンク２２の側の面よりも、穀粒タンク２２とは反対側に引退されている。
【００３１】
〔他の実施例〕
（１）アンローダ２３の操作部４９を、走行機体２や脱穀装置４に備えた支柱や支持枠に装備することもできる。
【００３２】
（２）オーガ受け４８を支持する専用の支柱を立設し、この支柱にアンローダ２３の操作部４９を装備することもできる。
【００３３】
（３）アンローダ２３の操作部４９における操作ボックス５１に旋回スイッチ５２と昇降スイッチ５３だけを配備し、排出クラッチレバー５５を運転座席近傍の別の箇所に設置して実施することもできる。逆に、操作部４９の操作ボックス５１に排出クラッチレバー５５だけを配備し、操作ボックス５１に旋回スイッチ５２と昇降スイッチ５３を運転座席近傍の別の箇所に設置して実施することもできる。
本発明は自脱型のコンバインばかりではなく、全稈投入型（普通型）のコンバインにも適用できる。
【図面の簡単な説明】
【００３４】
【図１】コンバインの側面図
【図２】コンバインの平面図
【図３】コンバインの側面図
【図４】コンバインの正面図
【図５】穀粒回収部の正面図
【図６】穀粒タンクの上部を機体内方から見た側面図
【図７】アンローダの操作部を示す平面図
【図８】排出クラッチの操作構造を示す側面図
【図９】穀粒タンクと揚穀装置の接続部を示す分解斜視図
【符号の説明】
【００３５】
４                脱穀装置
７                運転部
２１              揚穀装置
２２              穀粒タンク
２３              アンローダ
２３Ａ            縦送りオーガ
２３Ｂ            横送りオーガ
３２              凹部
３４              連結板（板材）
４７              ブラケット
４８              オーガ受け
４９              操作部
５１              操作ボックス
５２              旋回スイッチ（操作具）
５３              昇降スイッチ（操作具）
【図１】
0005249533.tif 000002
【図２】
0005249533.tif 000003
【図３】
0005249533.tif 000004
【図４】
0005249533.tif 000005
【図５】
0005249533.tif 000006
【図６】
0005249533.tif 000007
【図７】
0005249533.tif 000008
【図８】
0005249533.tif 000009
【図９】
0005249533.tif 000010